(57)【要約】フィードバック情報または制御情報をコンパクトなペイロードへ符号化することを容易にするシステムおよび方法論が記載される。特に、ランク・インジケータ、事前符号化行列インジケータ、およびチャネル品質インジケータが、単一のサブ・フレームに適合する制御チャネル・ペイロードへパッケージ化される。ペイロード・フォーマットは、少なくとも部分的に、アンテナ構成またはチャネル品質インジケータ・グラニュラリティに基づいて決定される。さらに、ハイブリッド自動反復要求が、ペイロード内に含まれうる。
2010537512.tif 000002
【特許請求の範囲】
【請求項１】
制御チャネルで情報をレポートすることを容易にする方法であって、
ペイロード・フォーマットにしたがって、制御チャネル・ペイロード内の少なくともランク・インジケータ、事前符号化行列インジケータ、およびチャネル品質インジケータを符号化することを備え、
前記ペイロード・フォーマットは、複数のチャネル品質インジケータ・レベルとともに、少なくとも前記ランク・インジケータを符合化するビット・シーケンスを含み、
前記方法はさらに、前記符合化されたペイロードをアップリンク制御チャネルで送信することを備える方法。
【請求項２】
前記ペイロード・フォーマットをアンテナ構成にしたがって選択することをさらに備える請求項１に記載の方法。
【請求項３】
チャネル品質インジケータ・グラニュラリティを確立することをさらに備える請求項１に記載の方法。
【請求項４】
前記チャネル品質インジケータ・グラニュラリティにしたがって前記ペイロード・フォーマットを選択することをさらに備える請求項３に記載の方法。
【請求項５】
前記ビット・シーケンスはさらに、前記複数のチャネル品質インジケータおよび前記ランク・インジケータとともに、前記事前符合化行列インジケータを符合化する請求項１に記載の方法。
【請求項６】
前記ペイロード・フォーマットは、最大３２レベルのフル・チャネル品質インジケータを表す最大５ビットと、８レベルの差分チャネル品質インジケータ、前記事前符合化行列インジケータ、および前記ランク・インジケータからなる少なくとも３０の結合符合化シーケンスを表す最大５ビットとを含む請求項１に記載の方法。
【請求項７】
前記ペイロード・フォーマットは、最大３２レベルのフル・チャネル品質インジケータを表す最大５ビットと、７レベルの差分チャネル品質インジケータとランク・インジケータの少なくとも８つの結合符合化シーケンスを表す最大３ビットと、１６の可能な事前符合化行列インジケータのうちの１つを表す最大４ビットとを含む請求項１に記載の方法。
【請求項８】
前記ペイロード・フォーマットは、最大３２レベルのフル・チャネル品質インジケータを表す最大５ビットと、１０レベルの差分チャネル品質インジケータおよび前記ランク・インジケータの少なくとも３１の結合符合化シーケンスを表す最大５ビットと、１６の可能な事前符合化行列インジケータのうちの１つを表す最大４ビットとを含む請求項１に記載の方法。
【請求項９】
前記ペイロード・フォーマットは、最大１６レベルのフル・チャネル品質インジケータを表す最大４ビットと、３レベルの差分チャネル品質インジケータ、前記事前符合化行列インジケータ、および前記ランク・インジケータからなる少なくとも１５の結合符合化シーケンスを表す最大４ビットとを含む請求項１に記載の方法。
【請求項１０】
前記ペイロード・フォーマットは、最大１６レベルのフル・チャネル品質インジケータを表す最大４ビットと、３レベルの差分チャネル品質インジケータおよび前記ランク・インジケータからなる少なくとも４つの結合符合化シーケンスを表す最大２ビットと、１６の可能な事前符合化行列インジケータのうちの１つを表す最大４ビットとを含む請求項１に記載の方法。
【請求項１１】
前記ペイロード・フォーマットは、最大１６レベルのフル・チャネル品質インジケータを表す最大４ビットと、５レベルの差分チャネル品質インジケータおよび前記ランク・インジケータからなる少なくとも１６の連結符合化シーケンスを表す最大４ビットと、１６の可能な事前符合化行列インジケータのうちの１つを表す最大４ビットとを含む請求項１に記載の方法。
【請求項１２】
前記制御チャネルは、物理アップリンク制御チャネルである請求項１に記載の方法。
【請求項１３】
前記制御チャネル・ペイロード内のハイブリッド自動反復要求インジケータを符号化することをさらに備える請求項１に記載の方法。
【請求項１４】
無線通信装置であって、
ペイロード・フォーマットにしたがって、制御チャネル・ペイロード内の少なくともランク・インジケータ、事前符号化行列インジケータ、およびチャネル品質インジケータを符号化することに関連する命令群を保持するメモリを備え、
前記ペイロード・フォーマットは、複数のチャネル品質インジケータ・レベルとともに、少なくとも前記ランク・インジケータを符合化するビット・シーケンスを含み、
前記命令群はさらに、前記符合化されたペイロードをアップリンク制御チャネルすることに関連し、
前記無線通信装置はさらに、前記メモリに接続され、前記メモリに保持された命令群を実行するように構成されたプロセッサを備える無線通信装置。
【請求項１５】
前記メモリはさらに、前記ペイロード・フォーマットをアンテナ構成にしたがって選択するための命令群を保持する請求項１４に記載の無線通信装置。
【請求項１６】
前記メモリはさらに、チャネル品質インジケータ・グラニュラリティを確立するための命令群をさらに保持する請求項１４に記載の無線通信装置。
【請求項１７】
前記メモリはさらに、前記チャネル品質インジケータ・グラニュラリティにしたがって前記ペイロード・フォーマットを選択するための命令群をさらに保持する請求項１６に記載の無線通信装置。
【請求項１８】
前記ビット・シーケンスはさらに、前記複数のチャネル品質インジケータおよび前記ランク・インジケータとともに、前記事前符合化行列インジケータを符合化する請求項１４に記載の無線通信装置。
【請求項１９】
前記メモリはさらに、前記制御チャネル・ペイロード内のハイブリッド自動反復要求インジケータを符号化するための命令群をさらに保持する請求項１４に記載の無線通信装置。
【請求項２０】
制御チャネルで情報をレポートすることを容易にする無線通信装置であって、
ペイロード・フォーマットにしたがって、制御チャネル・ペイロード内の少なくともランク・インジケータ、事前符号化行列インジケータ、およびチャネル品質インジケータを符号化する手段を備え、
前記ペイロード・フォーマットは、複数のチャネル品質インジケータ・レベルとともに、少なくとも前記ランク・インジケータを符合化するビット・シーケンスを含み、
前記無線通信装置はさらに、前記符合化されたペイロードを、アップリンク制御チャネルで送信する手段を備える無線通信装置。
【請求項２１】
前記ペイロード・フォーマットを、アンテナ構成にしたがって選択する手段をさらに備える請求項２０に記載の無線通信装置。
【請求項２２】
チャネル品質インジケータ・グラニュラリティを確立する手段をさらに備える請求項２０に記載の無線通信装置。
【請求項２３】
前記ペイロード・フォーマットを前記チャネル品質インジケータ・グラニュラリティにしたがって選択する手段をさらに備える請求項２２に記載の無線通信装置。
【請求項２４】
前記ビット・シーケンスはさらに、前記複数のチャネル品質インジケータおよび前記ランク・インジケータとともに、前記事前符合化行列インジケータを符合化する請求項２０に記載の無線通信装置。
【請求項２５】
前記制御チャネル・ペイロード内のハイブリッド自動反復要求インジケータを符号化する手段をさらに備える請求項２０に記載の無線通信装置。
【請求項２６】
コンピュータ読取可能媒体を備えたコンピュータ・プログラム製品であって、
前記コンピュータ読取可能媒体は、少なくとも１つのコンピュータに対して、ペイロード・フォーマットにしたがって、制御チャネル・ペイロード内の少なくともランク・インジケータ、事前符号化行列インジケータ、およびチャネル品質インジケータを符号化させるためのコードを備え、
前記ペイロード・フォーマットは、複数のチャネル品質インジケータ・レベルとともに、少なくとも前記ランク・インジケータを符合化するビット・シーケンスを含み、
前記コンピュータ読取可能媒体はさらに、少なくとも１つのコンピュータに対して、前記符合化されたペイロードをアップリンク制御チャネルで送信させるためのコードを備えるコンピュータ・プログラム製品。
【請求項２７】
前記コンピュータ読取可能媒体はさらに、少なくとも１つのコンピュータに対して、前記ペイロード・フォーマットをアンテナ構成にしたがって選択させるためのコードを備える請求項２６に記載のコンピュータ・プログラム製品。
【請求項２８】
前記コンピュータ読取可能媒体はさらに、少なくとも１つのコンピュータに対して、チャネル品質インジケータ・グラニュラリティを確立させるためのコードを備える請求項２６に記載のコンピュータ・プログラム製品。
【請求項２９】
前記コンピュータ読取可能媒体はさらに、少なくとも１つのコンピュータに対して、前記チャネル品質インジケータ・グラニュラリティにしたがって前記ペイロード・フォーマットを選択させるためのコードを備える請求項２８に記載のコンピュータ・プログラム製品。
【請求項３０】
前記ビット・シーケンスはさらに、前記複数のチャネル品質インジケータおよび前記ランク・インジケータとともに、前記事前符合化行列インジケータを符合化する請求項２６に記載のコンピュータ・プログラム製品。
【請求項３１】
前記ペイロード・フォーマットは、最大３２レベルのフル・チャネル品質インジケータを表す最大５ビットと、８レベルの差分チャネル品質インジケータ、前記事前符合化行列インジケータ、および前記ランク・インジケータからなる少なくとも３０の結合符合化シーケンスを表す最大５ビットとを含む請求項２６に記載のコンピュータ・プログラム製品。
【請求項３２】
前記ペイロード・フォーマットは、最大３２レベルのフル・チャネル品質インジケータを表す最大５ビットと、７レベルの差分チャネル品質インジケータおよびランク・インジケータの少なくとも８つの結合符合化シーケンスを表す最大３ビットと、１６の可能な事前符合化行列インジケータのうちの１つを表す最大４ビットとを含む請求項２６に記載のコンピュータ・プログラム製品。
【請求項３３】
前記ペイロード・フォーマットは、最大３２レベルのフル・チャネル品質インジケータを表す最大５ビットと、１０レベルの差分チャネル品質インジケータおよび前記ランク・インジケータの少なくとも３１の結合符合化シーケンスを表す最大５ビットと、１６の可能な事前符合化行列インジケータのうちの１つを表す最大４ビットとを含む請求項２６に記載のコンピュータ・プログラム製品。
【請求項３４】
前記ペイロード・フォーマットは、最大１６レベルのフル・チャネル品質インジケータを表す最大４ビットと、３レベルの差分チャネル品質インジケータ、前記事前符合化行列インジケータ、および前記ランク・インジケータからなる少なくとも１５の結合符合化シーケンスを表す最大４ビットとを含む請求項２６に記載のコンピュータ・プログラム製品。
【請求項３５】
前記ペイロード・フォーマットは、最大１６レベルのフル・チャネル品質インジケータを表す最大４ビットと、３レベルの差分チャネル品質インジケータおよび前記ランク・インジケータからなる少なくとも４つの結合符合化シーケンスを表す最大２ビットと、１６の可能な事前符合化行列インジケータのうちの１つを表す最大４ビットとを含む請求項２６に記載のコンピュータ・プログラム製品。
【請求項３６】
前記ペイロード・フォーマットは、最大１６レベルのフル・チャネル品質インジケータを表す最大４ビットと、５レベルの差分チャネル品質インジケータおよび前記ランク・インジケータからなる少なくとも１６の連結符合化シーケンスを表す最大４ビットと、１６の可能な事前符合化行列インジケータのうちの１つを表す最大４ビットとを含む請求項２６に記載のコンピュータ・プログラム製品。
【請求項３７】
前記制御チャネルは、物理アップリンク制御チャネルである請求項２６に記載のコンピュータ・プログラム製品。
【請求項３８】
前記コンピュータ読取可能媒体はさらに、少なくとも１つのコンピュータに対して、前記制御チャネル・ペイロード内のハイブリッド自動反復要求インジケータを符号化させるためのコードを備える請求項２６に記載のコンピュータ・プログラム製品。
【請求項３９】
無線通信システムにおける装置であって、
ペイロード・フォーマットにしたがって、制御チャネル・ペイロード内の少なくともランク・インジケータ、事前符号化行列インジケータ、およびチャネル品質インジケータを符号化するように構成されたプロセッサを備え、
前記ペイロード・フォーマットは、複数のチャネル品質インジケータ・レベルとともに、少なくとも前記ランク・インジケータを符合化するビット・シーケンスを含み、
前記プロセッサはさらに、前記符合化されたペイロードをアップリンク制御チャネルで送信するように構成された装置。
【発明の詳細な説明】
【関連出願に対する相互参照】
【０００１】
本願は、"UPLINK CONTROL CHANNEL FORMAT FOR LTE"と題され２００７年８月１５日に出願された米国仮出願６０／９６４，９６２号の利益を主張する。上記出願の全体は、参照によって本明細書に組み込まれる。
【技術分野】
【０００２】
以下の説明は、一般に無線通信に関し、さらに詳しくは、無線通信ネットワークにおけるアップリンク制御チャネル・フォーマットに関する。
【背景技術】
【０００３】
無線通信システムは、例えば音声、データ等のようなさまざまなタイプの通信コンテンツを提供するために広く開発された。一般的な無線通信システムは、利用可能なシステム・リソース（例えば帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。さらに、これらシステムは、例えば第３世代パートナシップ計画（３ＧＰＰ）、３ＧＰＰロング・ターム・イボリューション（ＬＴＥ）等のような仕様に準拠する。
【０００４】
一般に、無線多元接続通信システムは、複数のモバイル・デバイスのための通信を同時にサポートすることができる。モバイル・デバイスはそれぞれ、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システムなどによって確立されうる。さらに、モバイル・デバイスは、ピア・ツー・ピア無線ネットワーク・コンフィギュレーションで、他のモバイル・デバイス（および／または、他の基地局と通信する基地局）と通信することができる。
【０００５】
無線通信システムはしばしば、有効範囲領域を提供する１または複数の基地局を適用する。一般的な基地局は、サービスをブロードキャスト、マルチキャスト、および／または、ユニキャストするために、複数のデータ・ストリームを送信する。ここでは、データ・ストリームは、アクセス端末への独立した受信でありうるデータのストリームでありうる。そのような基地局の有効範囲領域内のアクセス端末は、合成ストリームによって搬送された１つ、１つより多くの、あるいは全てのデータ・ストリームを受信するために適用されうる。同様に、アクセス端末は、基地局または他のアクセス端末へデータを送信しうる。
【０００６】
ＭＩＭＯシステムは、データ送信のために、複数（ＮＴ個）の送信アンテナと、複数（ＮＲ個）の受信アンテナとを利用する。ＮＴ個の送信アンテナおよびＮＲ個の受信アンテナによって形成されるＭＩＭＯチャネルは、空間チャネルと称されうるＮＳ個の独立したチャネルに分解される。ここでＮＳ≦｛ＮＴ，ＮＲ｝である。ＮＳ個の独立チャネルのおのおのは、ディメンションに相当する。さらに、複数の送信アンテナおよび複数の受信アンテナによって生成されるさらなるディメンションが利用されるのであれば、ＭＩＭＯシステムは、向上したパフォーマンス（例えば、高められた空間効率、より高いスループット、および／または、より高い信頼性）を与えることができる。
【０００７】
ＭＩＭＯシステムは、共通の物理媒体によって順方向リンク通信および逆方向リンク通信を分割するさまざまな二重化技術をサポートしうる。例えば、周波数分割デュプレクス（ＦＤＤ）システムは、順方向リンク通信および逆方向リンク通信のために、別の周波数領域を利用しうる。さらに、時分割デュプレクス（ＴＤＤ）システムでは、順方向リンク通信および逆方向リンク通信が、共通の周波数領域を利用しうる。しかしながら、従来技術は、チャネル情報に関連する制限されたフィードバックしか提供しないか、あるいはフィードバックをまったく提供しない。
【発明の概要】
【０００８】
以下は、１または複数の実施形態の基本的な理解を提供するために、そのような実施形態の簡略化された概要を示す。この概要は、考えられる全ての実施形態の広範な概観ではなく、これら全ての実施形態の重要要素や決定的要素を特定することでも、任意または全ての実施形態を線引きすることでもないことが意図される。その唯一の目的は、開示された態様の幾つかの概念を、後に示されるより詳細な説明の前置きとして簡単な形式で示すことである。
【０００９】
関連する態様によれば、制御チャネルで情報をレポートすることを容易にする方法が提供される。この方法は、ペイロード・フォーマットにしたがって、制御チャネル・ペイロード内の、少なくとも、ランク・インジケータ、事前符号化行列インジケータ、およびチャネル品質インジケータを符号化することを備える。ペイロード・フォーマットは、複数のチャネル品質インジケータ・レベルとともに、少なくともランク・インジケータを符号化するビット・シーケンスを含む。さらに、この方法は、符号化されたペイロードを、アップリンク制御チャネルで送信することを含みうる。
【００１０】
別の態様は、無線通信装置に関する。この無線通信装置は、ペイロード・フォーマットにしたがって、制御チャネル・ペイロード内の、少なくとも、ランク・インジケータ、事前符号化行列インジケータ、およびチャネル品質インジケータを符号化すること、および、符号化されたペイロードを、アップリンク制御チャネルで送信することに関連する命令群を保持するメモリを備える。ペイロード・フォーマットは、複数のチャネル品質インジケータ・レベルとともに、少なくともランク・インジケータを符号化するビット・シーケンスを含む。さらに、この無線通信装置は、メモリに接続されメモリに保持された命令群を実行するように構成されたプロセッサをも含みうる。
【００１１】
さらに別の態様は、制御チャネルで情報をレポートすることを容易にする無線通信装置に関する。この無線通信装置は、ペイロード・フォーマットにしたがって、制御チャネル・ペイロード内の、少なくとも、ランク・インジケータ、事前符号化行列インジケータ、およびチャネル品質インジケータを符号化する手段を備えうる。ペイロード・フォーマットは、複数のチャネル品質インジケータ・レベルとともに、少なくともランク・インジケータを符号化するビット・シーケンスを含む。さらに、この無線通信装置は、符号化されたペイロードを、アップリンク制御チャネルで送信する手段を含みうる。
【００１２】
また別の態様は、コンピュータ・プログラム製品に関する。このコンピュータ・プログラム製品は、少なくとも１つのコンピュータに対して、ペイロード・フォーマットにしたがって、制御チャネル・ペイロード内の、少なくとも、ランク・インジケータ、事前符号化行列インジケータ、およびチャネル品質インジケータを符号化させるためのコードを含むコンピュータ読取可能媒体を有しうる。ペイロード・フォーマットは、複数のチャネル品質インジケータ・レベルとともに、少なくともランク・インジケータを符号化するビット・シーケンスを含む。このコンピュータ読取可能媒体はさらに、少なくとも１つのコンピュータに対して、符号化されたペイロードを、アップリンク制御チャネルで送信させるためのコードを備えうる。
【００１３】
さらに別の態様は、無線通信システムにおける装置に関する。この装置は、ペイロード・フォーマットにしたがって、制御チャネル・ペイロード内の、少なくとも、ランク・インジケータ、事前符号化行列インジケータ、およびチャネル品質インジケータを符号化するように構成されたプロセッサを備えうる。ペイロード・フォーマットは、複数のチャネル品質インジケータ・レベルとともに、少なくともランク・インジケータを符号化するビット・シーケンスを含む。このプロセッサはさらに、符号化されたペイロードを、アップリンク制御チャネルで送信するように構成されうる。
【００１４】
前述した目的および関連する目的を達成するために、１または複数の実施形態は、後に十分に記載され特に特許請求の葉において指摘される特徴を備えている。以下の記載および添付図面は、１または複数の実施形態のうちのある例示的な態様を詳細に述べている。しかしながら、これらの態様は、さまざまな実施形態の原理が適用されるさまざまな方法のうちのほんの僅かを示すに過ぎず、記述された実施形態は、そのような態様およびその等価物の全てを含むことが意図される。
【図面の簡単な説明】
【００１５】
【図１】図１は、本明細書において記載されたさまざまな態様にしたがう無線通信システムの一例を示す。
【図２】図２は、無線通信環境内で適用される通信装置の一例を示す。
【図３】図３は、主題とする開示の態様にしたがって、制御チャネル・フォーマットを適用することを容易にする無線通信システムの一例を示す。
【図４】図４は、制御チャネルのためのペイロード・フォーマットの一例を示す。
【図５】図５は、制御チャネルのためのペイロード・フォーマットの一例を示す。
【図６】図６は、無線通信システムにおいて、制御チャネル内のフィードバック情報の符号化を容易にする方法論の一例を示す。
【図７】図７は、無線通信システムにおいて、制御チャネル内のフィードバック情報の符号化を容易にする方法論の一例を示す。
【図８】図８は、少なくとも１つの基地局へフィードバック情報および／または制御情報をレポートするためにアップリンク制御チャネルを使用することを容易にするシステムの一例を示す。
【図９】図９は、主題となる開示の態様にしたがって無線通信を容易にするシステムの一例を示す。
【図１０】図１０は、本明細書に記載されたさまざまなシステムおよび方法と共に適用されうる無線ネットワーク環境の一例を示す。
【図１１】図１１は、フィードバック情報を含む制御チャネル・ペイロードを生成することを容易にするシステムの一例を示す。
【発明を実施するための形態】
【００１６】
さまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００１７】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１８】
さらに、本明細書ではさまざまな態様が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、モバイル・デバイスと通信するために利用することができ、アクセス・ポイント、ノードＢ、発展型ノードＢ（ｅノードＢあるいはｅＮＢ）、基地トランシーバ局（ＢＴＳ）、あるいは他のいくつかの用語によって称されうる。
【００１９】
さらに、本明細書に記載の様々な態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２０】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えば発展型ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００２１】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２２】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２３】
通信するように指定された領域および／またはアンテナのおのおののグループは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。これは、例えば、信号を所望の方向に向けるプリコーダを用いることによって提供されうる。また、基地局１０２は、関連する有効範囲にわたってランダムに分散しているモバイル・デバイス１１６、１２２へ送信するために、ビームフォーミングを利用している間、近隣セル内のモバイル・デバイスは、すべてのモバイル・デバイスに対して単一のアンテナで送信する基地局に比べて、少ない干渉しか被らない。さらに、モバイル・デバイス１１６、１２２は、一例において、ピア・ツー・ピアまたはアド・ホック技術を用いて互いに直接的に通信することができる。一例によれば、システム１００は、複数入力複数出力（ＭＩＭＯ）通信システムになりえる。さらに、システム１００は、例えばＦＤＤ、ＴＤＤ等のような通信チャンネル（例えば、順方向リンク、逆方向リンク等）を分割するために、任意のタイプの二重化技術を実質的に利用することができる。
【００２４】
図２に移って、無線通信環境内で適用される通信装置２００が例示される。この通信装置２００は、基地局またはその一部、モバイル・デバイスまたはその一部、あるいは、無線通信環境において送信されたデータを受信する実質的に任意の通信装置でありうる。例えば、通信装置２００は、アクセス・ポイント（例えば、基地局、ノードＢ、発展型ノードＢ（ｅノードＢ）等）へ制御情報の送信および／またはレポートを行うアクセス端末（例えば、モバイル・デバイス、ユーザ機器等）でありうる。この通信装置２００は、ペイロード・フォーマットおよび／またはビット・フィールドにしたがったフィードバック情報を含むペイロードを符号化する制御チャネル・エンコーダ２０２と、符号化されたペイロードを制御チャネルで送信する送信機２０４とを含みうる。
【００２５】
例によれば、通信装置２００は、無線通信システムおよび／またはネットワーク内の他の装置へと情報をフィードバックしうる。例えば、通信装置２００は、ランク・インジケータ（ＲＩ）、事前符号化行列インジケータ（ＰＭＩ）、チャネル品質インジケータ（ＣＱＩ）等をレポートしうる。さらに、通信装置２００は、例えばアクノレッジメント（ＡＣＫ）および否定的アクノレッジメント（ＮＡＣＫ）のようなハイブリッド自動反復要求（ＨＡＲＱ）インジケータをも提供しうる。レポートされたフィードバック情報は、効率的なダウンリンク送信、特に、ダウンリンクによる複数入力複数出力（ＭＩＭＯ）送信を容易にしうる。例によれば、フィードバック情報ペイロードを配信するためにアップリンク制御チャネルが適用されうる。例えば、ロング・ターム・イボリューション（ＬＴＥ）ベースのシステムにおいて、物理的なアップリンク制御チャネル（ＰＵＣＣＨ）が利用されうる。しかしながら、本明細書に記載された局面では、その他のチャネルも適用されうることが認識されるべきである。
【００２６】
制御チャネル・エンコーダ２０２は、フィードバック情報を、サブ・フレームへ符号化しうる。例えば、制御チャネル・エンコーダ２０２は、少なくともＲＩ、ＰＭＩ、ＣＱＩ、およびオプションとしてＨＡＲＱ復号インジケータを含むサブ・フレーム・ペイロードを生成しうる。おのおののサブ帯域についてＲＩおよびＰＭＩをレポートするために、通信装置２００によって必要とされるビット幅は、アンテナ構成（例えば、送信アンテナ数および受信アンテナ数）によって変わる。実例によれば、ＲＩは、２×２または４×２のアンテナ構成では（例えば、ランク１またはランク２を識別するために）１ビットを必要とし、４×４のアンテナ構成では（例えば、ランク１乃至４を識別するために）２ビットを必要とする。ＰＭＩは、事前符号化ベースのビームフォーミングのために、事前符号化コードブック内のどのエントリが利用されるべきかを識別するために利用される。したがって、ビット幅は、コードブック・サイズに依存する。例えば、ＬＴＥシステムでは、事前符号化コードブックは、２×２のアンテナ構成において、ランク２の場合には３つのプリコーダを、ランク１の場合には６つのプリコーダを含む。したがって、ランク２の場合、プリコーダを識別するために２ビットが必要とされ、ランク１の場合、３ビットが必要とされる。４×２または４×４のアンテナ構成の場合、コードブックは、ランク毎に１６のプリコーダを含む（例えば、ランク１乃至４のおのおのについて１６のプリコーダ）。したがって、４×２および４×４のアンテナ構成においてプリコーダを識別するために、４ビットが必要とされる。
【００２７】
チャネル品質インジケータ（ＣＱＩ）もレポートされる。ＣＱＩは、コードワード毎に、３２の品質レベルのうちの１つを示しうる。したがって、ＣＱＩが、１ｄＢグラニュラリティで、約−５ｄＢから２５ｄＢの範囲の信号対干渉および雑音比（ＳＩＮＲ）範囲を示す場合、ＣＱＩをレポートするために必要とされるビット数は、一般には、コードワード毎に５ビットである。ＬＴＥシステムでは、２つのコーワードが適用されうる。したがって、ＣＱＩをレポートするために必要なビット幅は１０ビットである。ＲＩ、ＰＭＩ、およびＣＱＩをレポートするために、制御チャネル・エンコーダ２０２は、情報を、２×２の場合、合計して１３−１４ビット、４×２の場合１５ビット、４×４の場合１６ビットに符号化する。ランク・インジケータを別々にレポートすることによって、ＰＭＩ／ＣＱＩレポートの負荷を、１ビットまたは２ビット低減することができることが認識されるべきである。しかしながら、ＲＩを別々にレポートすることは、低い誤り率要件を持つ追加の制御チャネルを必要とする。
【００２８】
低減されたＣＱＩフィードバックは、少なくとも、大きな遅延のサイクリック遅延ダイバーシティ（ＣＤＤ）事前符号化に利用することが可能である。しかしながら、低減されたＣＱＩは、ゼロ遅延の小さな遅延のＣＤＤ事前符号化とともに利用されうることが認識されるべきである。低減されたＣＱＩフィードバックは、２つのコードワード間における空間差分ＣＱＩフォーマット（例えば、差分ＣＱＩを加えたフルＣＱＩ）を利用することによって実現される。これは、あらゆる潜在的な、負ではない連続干渉除去利得をもたない大きな遅延のＣＤＤ事前符号化におけるコードワードの実効的なＳＩＮＲの類似性を利用する。
【００２９】
Ｚａｄｏｆｆ−Ｃｈｕ（ＺＣ）拡散を使用する制御チャネルは、１つのリソース・ブロック割当を備えた１つのサブ・フレーム内に２０の符合化ビットを生成することができる。他の例によれば、離散フーリエ変換（ＤＦＴ）ベースの制御チャネルは、１つのリソース・ブロック割当を備えた１つのサブ・フレーム内に４８の符合化ビットを生成することができる。したがって、制御チャネル・エンコーダ２０２は、制御チャネルに割り当てられた制限された時間−周波数リソース・ブロックへ、フィードバック情報または制御情報（例えば、ＲＩ、ＰＭＩ、ＡＣＫ／ＮＡＣＫ）を効率的に詰めることができる（例えば、ＺＣ拡散ベースの制御チャネルの場合２０ビット、ＤＦＴベースの制御チャネルの場合４８ビット）。さらに、制御チャネル・エンコーダ２０２は、制御情報のビット幅をさらに圧縮するために、低減されたＣＱＩフォーマットを導入しうる。
【００３０】
単一入力複数出力（ＳＩＭＯ）システムでは、ＲＩ情報およびＰＭＩ情報は存在しない。したがって、ＣＱＩ情報のみがレポートされる。ＣＱＩのみのペイロードのビット幅は、ＣＱＩグラニュラリティに依存する。例えば、ペイロードは、１ｄＢのＣＱＩグラニュラリティの場合、５ビットの長さである。５ビットは、ＳＩＭＯシステムの３２レベルのフルＣＱＩを符合化しうる。以下に記載されるように、ＣＱＩグラニュラリティを変更することによって、さらなるビット幅低減が実現されうる。
【００３１】
５ビットのペイロードは、（２０，５）符号に至るＺＣ拡散ベースの制御チャネル内に適合する。別の態様によれば、（４８，５）符号となるＤＦＴベースの制御チャネルが適用されうる。さらに、ＡＣＫ／ＮＡＣＫが、制御チャネルで、ＣＱＩとともに送信されうる。したがって、制御チャネル・エンコーダ２０２は、ＡＣＫインジケーションまたはＮＡＣＫインジケーションのために追加ビットを利用する。これは、ＺＣ拡散ベースのチャネルの場合には（２０，６）符号に至り、ＤＦＴベースのチャネルの場合には（４８，６）符号に至る。さらに、ＺＣ拡散ベースの制御チャネルでペイロードを送信することを容易にするために、（１０，６）ブロック符号化が適用されうる。
【００３２】
２×２または２×４のアンテナ構成を持つ複数入力複数出力（ＭＩＭＯ）システムでは、ランク・インジケータ、事前符合化行列インジケータ、およびチャンネル品質インジケータがレポートされる。２つの送信アンテナを含むアンテナ構成を有するＭＩＭＯシステムでは、ＲＩ、ＰＭＩ、およびＣＱＩを含んでいる制御チャネル・ペイロードは、１０ビットで符号化されうる。これは、ＺＣ拡散ベースのチャネルの場合（２０，１０）符号となり、ＤＦＴベースのチャネルの場合（４８，１０）符号となる。さらに、ＨＡＲＱインジケータ（例えば、ＡＣＫまたはＮＡＣＫ）が、制御チャネル・ペイロード内に含まれるべきである場合、最大２つの追加ビットカ゛必要となる。したがって、ＡＣＫ／ＮＡＣＫインジケータを含めると、ＺＣ拡散ベースのチャネルの場合（２０，１２）符号、ＤＦＴベースのチャネルの場合（４８，１２）符号となる。ＨＡＲＱインジケータでは、ＺＣ拡散ベースのチャネルは、ペイロードを収容するために、少なくとも２スロットのサブ・フレームを必要とする一方、ＤＦＴベースのチャネルは、１つのスロット内にペイロードを適合させることができる。
【００３３】
４×２構成をもつＭＩＭＯシステムでは、制御チャネル・エンコーダ２０２は、１２ビットのペイロード内でＲＩ、ＰＭＩ、およびＣＱＩを符合化する。ペイロード・サイズは、ＡＣＫインジケータまたはＮＡＣＫインジケータが含まれている場合、１４ビットまで増加しうる。したがって、ＺＣ拡散ベースの制御チャネルでは、制御チャネル・エンコーダ２０２は、ＨＡＲＱインジケータを含んでいることに依存して、（２０，１２）符号または（２０，１４）符号を生成する。さらに、制御チャネル・エンコーダ２０２は、（４８，１２）符号または（４８，１４）符号を提供する。
【００３４】
別の態様によれば、４×４構成を持つＭＩＭＯシステムでは、制御チャネル・エンコーダ２０２は、１４ビット・ペイロード内でＲＩ、ＰＭＩ、およびＣＱＩを符合化しうる。ペイロード・サイズは、ＡＣＫインジケータまたはＮＡＣＫインジケータが含まれている場合、１６ビットまで増加しうる。したがって、ＺＣ拡散ベースの制御チャネルでは、制御チャネル・エンコーダ２０２が、ＨＡＲＱインジケータを含んでいることに依存して、（２０，１４）符号または（２０，１６）符号を生成する。さらに、制御チャネル・エンコーダ２０２は、（４８，１４）符号または（４８，１６）符号を提供する。
【００３５】
さらに、図示していないが、通信装置２００は、アンテナ構成を決定すること、ＣＱＩグラニュラリティを確定すること、ＲＩ、ＰＭＩ、およびＣＱＩをペイロードに符号化すること、ペイロードを送信すること等に関する命令群を保持するメモリを含みうることが認識されるべきである。さらに、このメモリは、レート制御を強化するためにトークン・バケット・メカニズムを実施する命令群を含みうる。さらに、通信装置２００は、命令群（例えば、メモリに保持された命令群、異なるソースから得られた命令群等）を実行することに関連して利用されうるプロセッサを含みうる。
【００３６】
図３に示すように、主題とする開示の局面にしたがって制御チャネル・フォーマットを適用することを容易にする無線通信システム３００が例示される。このシステム３００は、アクセス端末３０４（および／または、（図示しない）任意の数の別のデバイス）と通信するアクセス・ポイント３０２を含む。アクセス・ポイント３０２は、順方向リンクすなわちダウンリンク・チャネルによってアクセス端末３０４へ情報を送信しうる。さらに、アクセス・ポイント３０２は、逆方向リンクすなわちアップリンク・チャネルによってアクセス端末３０４から情報を受信しうる。さらに、システム３００は、（例えば３ＧＰＰ、３ＧＰＰ２、３ＧＰＰ  ＬＥＴ等のような）ＯＦＤＭＡ無線ネットワークにおいて動作しうる。さらに、アクセス端末３０２内の、図示され後述される構成要素および機能は、一例において逆にアクセス端末３０４内に存在しうる。
【００３７】
アクセス・ポイント３０２は、アクセス端末３０４からアップリンク送信を取得する受信機３０６を含む。アクセス端末３０４は、システム３００で適用されるアンテナ構成を決定するアンテナ評価部３０８を含みうる。例えば、アンテナ構成は、ＳＩＭＯシステム、２×２ＭＩＭＯシステム、２×４ＭＩＭＯシステム、４×２ＭＩＭＯシステム、４×４ＭＩＭＯシステム等を含みうる。主題となる開示の態様では、さらなる構成も利用されうることが認識されるべきである。例えば、この構成は、ＭとＮが１以上の整数である場合、Ｍ×Ｎシステムを含むことができる。システム３００で適用されるアンテナ構成は、アクセス端末３０４によってレポートされる必要のあるフィードバック情報に影響を及ぼしうる。したがって、アンテナ評価部３０８は、アクセス端末３０４がフィードバック情報を符号化することを可能にする構成を決定する。
【００３８】
アクセス端末３０４は、システム３００によって適用されるＣＱＩグラニュラリティ確立するＣＱＩ構成モジュール３１０をさらに含みうる。例示によれば、アクセス端末３０４は、−５ｄＢから２５ｄＢまでの範囲内のＳＩＮＲ値を記載するＣＱＩ値をレポートする。レポートされる値の数は、ＣＱＩグラニュラリティに依存する。例えば、アクセス端末３０４は、１ｄＢのグラニュラリティにおいて３２レベルのＣＱＩを、２ｄＢのグラニュラリティにおいて１６レベルのＣＱＩをレポートする。ＣＱＩ構成モジュール３１０は、ＣＱＩグラニュラリティを決定する。ＣＱＩグラニュラリティは、アクセス・ポイント３０２へＣＱＩをレポートするために必要なビット数に影響を与える。
【００３９】
別の態様によれば、アクセス端末は、ペイロード・フォーマット・フィールドおよび／またはビット・フィールドにしたがって、フィードバック情報を含むペイロードを符号化する制御チャネル・エンコーダ３１２を含みうる。実例となる実施形態では、フィードバック情報は、ランク・インジケータ（ＲＩ）、事前符号化行列インジケータ（ＰＭＩ）、チャネル品質インジケータ（ＣＱＩ）等を含みうる。さらに、フィードバック情報は、オプションとして、例えばアクノレッジメント（ＡＣＫ）および否定的アクノレッジメント（ＮＡＣＫ）のようなハイブリッド自動反復要求（ＨＡＲＱ）インジケータを含みうる。制御チャネル・エンコーダ３１２は、アップリンク制御チャネル用のフィードバック情報ペイロードを符号化しうる。例えば、ロング・ターム・イボリューション（ＬＴＥ）ベースのシステムにおいて、物理アップリンク制御チャネル（ＰＵＣＣＨ）が適用されうる。しかしながら、本明細書に記載された態様とともに、他のチャネルが適用されうることが認識されるべきである。アクセス端末３０４は、制御チャネル・エンコーダ３１２によって符号化されると、符号化されたペイロードを、アップリンク制御チャネルによって送信する送信機３１４を含む。
【００４０】
図４および図５は、制御チャネル（例えば、物理アップリンク制御チャネル）のためのペイロード・フォーマットの例を示す。このペイロードは、例えばレーティング・インジケータ、事前符号化行列インジケータ、ＣＱＩ等のようなフィードバック情報を含む。態様によれば、このフォーマットの例は、図２および図３を参照して示される制御チャネル・エンコーダ２０２および３１２それぞれによって利用されうる。
【００４１】
図４に移って、制御チャネルのためのペイロード・フォーマットの例が示される。ペイロード・フォーマット４０２−４０８は、１ｄＢのＣＱＩグラニュラリティを持つさまざまなアンテナ構成のための制御チャネル・フォーマットである。フォーマット４０２は、単一入力複数出力（ＳＩＭＯ）システムに対応し、３２レベルのフルＣＱＩを符号化する５ビットのペイロードを含んでいる。さらに、フォーマット４０２は、ＨＡＲＱインジケータ（例えば、ＡＣＫインジケータまたはＮＡＣＫインジケータ）を符号化するためのオプションの追加ビットを含む。フォーマット４０４は、２×２複数入力複数出力（ＭＩＭＯ）構成に対応し、ランク・インジケータ（ＲＩ）、事前符号化行列インジケータ（ＰＭＩ）およびＣＱＩを符号化する１０ビットのペイロードを含んでいる。フォーマット４０４の１０ビットのペイロードは、３２レベルのフルＣＱＩを符号化する５ビットを含んでいる。さらに、フォーマット４０４は、ＲＩ、ＰＭＩ、８レベルの差分ＣＱＩを含む３０の仮説を符号化する５ビットを含みうる。例によれば、ランク１のＰＭＩに対して６つの仮説があり、ランク２のＰＭＩおよび差分ＣＱＩに対して２４の仮説がある。フォーマット４０４は、ＨＡＲＱインジケータを符号化するために、オプションで、追加の２ビットを含みうる。
【００４２】
フォーマット４０６は、４×２ＭＩＭＯアンテナ構成に対応し、１２ビットのペイロードを含みうる。このペイロードは、３２レベルのフルＣＱＩを符号化する５ビットを含んでいる。さらに、フォーマット４０６は、７レベルの差分ＣＱＩおよびＲＩの８つの仮説を符号化する３ビットを含みうる。例えば、３ビットのシーケンス０００乃至１１０は、ランク２のための７レベルのＣＱＩを表し、３ビットのシーケンス１１１は、ランク１を表すことができる。さらに、フォーマット４０６は、ＰＭＩを符号化する４ビットを含むことができる。ＰＭＩのためのこの４ビットは、ランク毎の１６の可能な事前符号化行列を表す。フォーマット４０６は、ＨＡＲＱインジケータを符号化するために、オプションで、さらに２ビットを含むことができる。
【００４３】
フォーマット４０８は、４×４ＭＩＭＯアンテナ構成に対応し、１４ビットのペイロードを含みうる。このペイロードは、３２レベルのフルＣＱＩを符号化する５ビットを含んでいる。さらに、フォーマット４０８は、１０レベルの差分ＣＱＩおよびＲＩの３１の仮説を符号化する５ビットを含むことができる。例えば、５ビットのシーケンス０００００乃至１１１１０は、ランク２、ランク３、およびランク４のための１０レベルのＣＱＩを表し、５ビットのシーケンス１１１１１は、ランク１を表しうる。さらに、フォーマット４０８は、ＰＭＩを符号化する４ビットを含むことができる。ＰＭＩのためのこの４ビットは、ランク毎の１６の可能な事前符号化行列を表す。フォーマット４０８は、ＨＡＲＱインジケータを符号化するために、オプションとして、さらに２ビットを含めることができる。
【００４４】
図５に移って、制御チャネルのためのペイロード・フォーマットの例が示される。ペイロード・フォーマット５０２−５０８は、２ｄＢのＣＱＩグラニュラリティを持つさまざまなアンテナ構成のための制御チャネル・フォーマットである。フォーマット５０２は、単一入力複数出力（ＳＩＭＯ）システムに対応し、１６レベルのフルＣＱＩを符号化する４ビットのペイロードを含んでいる。さらに、フォーマット５０２は、ＨＡＲＱインジケータ（例えば、ＡＣＫインジケータまたはＮＡＣＫインジケータ）を符号化するために、オプションとして、追加のビットを含むことができる。フォーマット５０４は、２×２の複数入力複数出力（ＭＩＭＯ）構成に対応し、ランク・インジケータ（ＲＩ）、事前符号化行列インジケータ（ＰＭＩ）、およびＣＱＩを符号化する８ビットのペイロードを含んでいる。フォーマット４０４の８ビットのペイロードは、１６レベルのフルＣＱＩを符号化する４ビットを含んでいる。さらに、フォーマット５０４は、ＲＩ、ＰＭＩ、および３レベルの差分ＣＱＩを含む１５の仮説を符号化する４ビットを含むことができる。例によれば、ランク１のＰＭＩのために６つの仮説があり、ランク２のＰＭＩおよび差分ＣＱＩのために９つの仮説がある。フォーマット５０４は、ＨＡＲＱインジケータを符号化するために、オプションとして、さらに２ビット含むことができる。
【００４５】
フォーマット５０６は、４×２ＭＩＭＯアンテナ構成に対応し、１０ビットのペイロードを含むことができる。このペイロードは、１６レベルのフルＣＱＩを符号化する４ビットを含んでいる。さらに、フォーマット５０６は、３レベルの差分ＣＱＩおよびＲＩの４つの仮説を符号化する３２ビットを含みうる。例えば、２ビットのシーケンス００乃至１０は、ランク２の３レベルのＣＱＩを表し、２ビットのシーケンス１１は、ランク１を表すことができる。さらに、フォーマット５０６は、ＰＭＩを符号化する４ビットを含むことができる。ＰＭＩのためのこの４ビットは、ランク毎の１６の可能な事前符号化行列を表す。フォーマット５０６は、オプションとして、ＨＡＲＱインジケータを符号化するための追加の２ビットを含むことができる。
【００４６】
フォーマット５０８は、４×４ＭＩＭＯアンテナ構成に対応し、１４ビットのペイロードを含むことができる。このペイロードは、１６レベルのフルＣＱＩを符号化する４ビットを含んでいる。さらに、フォーマット５０８は、ＲＩおよび５レベルの差分ＣＱＩの１６の仮説を符号化する４ビットを含むことができる。例えば、４ビットのシーケンス００００乃至１１１０は、ランク２、ランク３、およびランク４のための５レベルのＣＱＩを表し、４ビットのシーケンス１１１１は、ランク１を表すことができる。さらに、フォーマット５０８は、ＰＭＩを符号化する４ビットを含むことができる。ＰＭＩのためのこの４ビットは、ランク毎の１６の可能な事前符号化行列を表す。フォーマット５０８は、オプションとして、ＨＡＲＱインジケータを符号化するための追加の２ビットを含むことができる。
【００４７】
図６および図７に示すように、制御チャネル・サブ・フレーム内でランク・インジケータ、事前符号化行列インジケータ、チャネル品質インジケータ等を符号化することに関連する方法論が示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００４８】
図６に移って、無線通信システムにおいて、制御チャネル内のフィードバック情報を符号化することを容易にする方法論６００が例示される。参照番号６０２では、アンテナ構成が決定される。アンテナ構成は、効率的なダウンリンク送信を可能にするために必要とされるフィードバックの性質および量に影響を及ぼしうる。例では、アンテナ構成は、単一入力単一出力（ＳＩＳＯ）システム、単一入力複数出力（ＳＩＭＯ）システム、複数入力複数出力（ＭＩＭＯ）システム等を含みうる。さらに、アンテナ構成は、システム（例えばＭＩＭＯシステム）内に、さまざまなアンテナ数を含めることができる。実例によれば、ＭＩＭＯシステムは、ＭとＮが１以上の任意の整数である場合、Ｍ×Ｎ構成を持つことができる。態様では、Ｍは、送信アンテナ（例えば、基地局におけるダウンリンク送信アンテナ）の数を示し、Ｎは、受信アンテナ（例えば、モバイル・デバイスにおけるダウンリンク受信アンテナ）を示す。
【００４９】
参照番号６０４では、決定されたアンテナ構成にしたがって、制御チャネルのためのペイロードが符号化される。このペイロードは、限定される訳ではないが、ランク・インジケータ、事前符号化行列インジケータ、おのおののランクについて信号対干渉および雑音比を提供するのに十分なチャネル品質インジケータ等のようなフィードバック情報を含みうる。１つの実例では、ペイロードは、制御チャネルのサブ・フレーム内に適合することが要求される。ＺＣ拡散ベースの制御チャネルは、サブ・フレーム毎に２０ビットを生成する一方、ＤＦＴベースの制御チャネルは、サブ・フレーム毎に４８ビットを生成する。したがって、ペイロードは、図４および図５を参照して前述したようなフォーマットにしたがって符号化されうる。参照番号６０６では、ペイロードが、制御チャネルで送信される。例えば、制御チャネルは、例えばＬＴＥシステムにおける物理アップリンク制御チャネル（ＰＵＣＣＨ）のようなアップリンク制御チャネルでありうる。
【００５０】
図７に移って、無線通信システムにおいて、制御チャネル内のフィードバック情報を符号化することを容易にする方法論７００が例示される。参照番号７０２では、ＣＱＩグラニュラリティが確定されうる。チャネル品質インジケータは、特定のレベル（例えば、インクリメント）またはグラニュラリティにおいて、約−５ｄＢから２５ｄＢのＳＩＮＲ範囲に関連する。例えば、前述した範囲における１ｄＢのグラニュラリティは、モバイル・デバイスによってレポートされる３２レベルのうちの１つに至る。より粗いグラニュラリティ（例えば、より高いステップ・サイズ）によって、レベルはより少なくなり、もって、ＣＱＩをレポートするために必要なビット数も少なくなる。参照番号７０４では、アンテナ構成が決定される。このアンテナ構成は、フィードバック情報（例えば、ＣＱＩ、ＲＩ、ＰＭＩ）をレポートするために必要なビット数に影響を及ぼす。例えば、４×４のアンテナ構成は、ランク・インジケータ（例えば、ランク１乃至４）をレポートするために、少なくとも２ビットを必要とする。さらに、アンテナ構成に基づいてコードブック・サイズが変化するので、事前符号化行列インジケータのためのビットもまた、アンテナ構成にしたがって変化する。参照番号７０６では、決定されたアンテナ構成にしたがって、制御チャネルのためのペイロードが符号化される。このペイロードは、限定される訳ではないが、ランク・インジケータ、事前符号化行列インジケータ、おのおののランクについて信号対干渉および雑音比を提供するのに十分なチャネル品質インジケータ等のようなフィードバック情報を含みうる。このペイロードは、図４および図５を参照して前述したようなフォーマットにしたがって符号化されうる。参照番号７０８では、ペイロードが制御チャネルで送信される。例えば、制御チャネルは、例えばＬＴＥシステムにおける物理アップリンク制御チャネル（ＰＵＣＣＨ）のようなアップリンク制御チャネルでありうる。
【００５１】
本明細書に記載された１または複数の態様にしたがって、ＣＱＩグラニュラリティを確定すること、アンテナ構成を決定すること、フィードバック情報を符号化すること、（例えば、ＺＣ拡散、ＤＦＴ等のような）チャネル・ベースを選択すること等に関する推論がなされうることが認識されるだろう。本明細書で使用されるように、「推論する」または「推論」なる用語は一般に、イベントおよび／またはデータによって取得されたような観察のセットからの、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００５２】
図８は、少なくとも１つの基地局へフィードバック情報および／または制御情報をレポートするためにアップリンク制御チャネルを使用することを容易にするモバイル・デバイス８００の実例である。モバイル・デバイス８００は、例えば受信アンテナ（図示せず）から信号を受信し、受信した信号について一般的な動作（例えば、フィルタ、増幅、ダウンコンバート等）を実行し、調整された信号をデジタル化してサンプルを得る受信機８０２を備えうる。受信機８０２は、受信したシンボルを復調しそれらをチャネル評価のためにプロセッサ８０６へ提供する復調器８０４を備えうる。プロセッサ８０６は、受信機８０２によって受信された情報を分析すること、および／または、送信機８１６による送信のための情報を生成することに特化されたプロセッサでありうるか、モバイル・デバイス８００の１または複数の構成要素を制御するプロセッサでありうるか、および／または、受信機８０２によって受信された情報の分析と、送信機８１６による送信のための情報の生成と、モバイル・デバイス８００の１または複数の構成要素の制御との両方を行うプロセッサでありうる。
【００５３】
モバイル・デバイス８００はさらにメモリ８０８を備えることができる。このメモリ８０８は、プロセッサ８０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。
【００５４】
メモリ８０８はさらに、（例えば、パフォーマンス・ベース、キャパシティ・ベース等での）チャネルの推定および／または利用に関連付けられたアルゴリズムおよび／またはプロトコルを格納しうる。さらに、メモリ８０８は、モバイル・デバイス８００によってサービス提供される１または複数のベアラに関連する優先度付けられたビット・レート、最大ビット・レート、キュー・サイズ等を保持しうる。
【００５５】
本明細書に記載のデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８０８は、限定される訳ではないが、これらおよびその他任意の適切なタイプのメモリを備えることが意図される。
【００５６】
プロセッサ８０６は、フィードバック情報を含むペイロードを、ペイロード・フォーマットおよび／またはビット・フィールドにしたがって符号化するペイロード・エンコーダ８１０に動作可能に接続されうる。実例となる実施形態では、フィードバック情報は、ランク・インジケータ（ＲＩ）、事前符号化行列インジケータ（ＰＭＩ）、チャネル品質インジケータ（ＣＱＩ）等を含みうる。さらに、フィードバック情報は、オプションとして、例えばアクノレッジメント（ＡＣＫ）および否定的アクノレッジメント（ＮＡＣＫ）のようなハイブリッド自動反復要求（ＨＡＲＱ）インジケータを含むことができる。ペイロード・エンコーダ８１０は、例えば、上述したように、ペイロードを生成するために複数のフォーマットのうちの１つを適用する。
【００５７】
プロセッサ８０６はさらに、チャネル品質をレポートする際に適用されるＣＱＩグラニュラリティを確立するＣＱＩ設定部８１２に接続されうる。モバイル・デバイス８００はさらに、信号を変調する変調器８１４と、例えば基地局、他のモバイル・デバイス等へ信号を送信する送信機８１６とを備える。プロセッサ８０６と別に示されているが、ペイロード・エンコーダ８１０、ＣＱＩ設定部８１２、復調器８０４、および／または変調器８１４は、プロセッサ８０６または（図示しない）複数のプロセッサの一部でありうることが認識されるべきである。
【００５８】
図９は、主題となる開示の態様にしたがって無線通信を容易にするシステム９００の例示である。システム９００は、複数の受信アンテナ９０６を介して１または複数のアクセス端末９０４から信号を受信する受信機９１０と、送信アンテナ９０８を介して１または複数のアクセス端末９０４へ信号を送信する送信機９２０とを備える基地局９０２（例えば、アクセス・ポイント）を備える。受信機９１０は、受信アンテナ９０６から情報を受信する。また、受信した情報を復調する復調器９１２と動作可能に関連付けられている。復調されたシンボルは、図８に関して上述したプロセッサに類似したプロセッサ９１４によって分析されうる。プロセッサ９１４は、信号（例えば、パイロット）強度および／または干渉強度、モバイル・デバイス９０４（または（図示しない）別の基地局）へ送信されるデータまたはモバイル・デバイス９０４（または（図示しない）別の基地局）から受信するデータ、および／または、本明細書に記載されたさまざまな動作および機能を実行することに関連するその他任意の適切な情報、を推定することに関連する情報を格納するメモリ９１６に接続されている。
【００５９】
プロセッサ９１４は、受信機９１０によって受信された情報を分析すること、および／または、送信機９２０による送信のための情報を生成することに特化されたプロセッサでありうるか、基地局９０２の１または複数の構成要素を制御するプロセッサでありうるか、および／または、受信機９１０によって受信された情報の分析と、送信機９２０による送信のための情報の生成と、基地局９０２の１または複数の構成要素の制御との両方を行うプロセッサでありうる。
【００６０】
基地局９０２はさらに、プロセッサ９１４と動作可能に接続されたメモリ９１６を備えうる。メモリ９１６は、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ９１６はさらに、（例えば、パフォーマンス・ベース、キャパシティ・ベース等での）チャネルの推定および／または利用に関連付けられたアルゴリズムおよび／またはプロトコルを格納しうる。
【００６１】
本明細書に記載のメモリ９１６は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ９１６は、限定される訳ではないが、これらおよびその他任意の適切なタイプのメモリを備えることが意図される。さらに、プロセッサ９１４とは別に示されているが、スケジューラ、復調器９１２、および／または変調器９１８は、プロセッサ９１４または複数のプロセッサ（図示せず）のうちの一部でありうることが認識されるべきである。
【００６２】
図１０は、無線通信システム１０００の例を示す。無線通信システム１０００は、簡潔さの目的で、１つの基地局１０１０と１つのモバイル・デバイス１０５０とを示している。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的と同じでも、別のものでもありうることが認識されるべきである。さらに、基地局１０１０および／またはモバイル・デバイス１０５０は、その間の無線通信を容易にするために、本明細書に記述されたシステム（図１乃至図３、図８および図９）、例（図４および図５）、および／または方法（図６および図７）を適用しうることが認識されるべきである。
【００６３】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームは、それぞれのアンテナを介して送信される。ＴＸデータ・プロセッサ１０１４は、トラフィック・データ・ストリームをフォーマットし、このデータ・ストリームのために選択された特定の符合化スキームに基づいて符号化し、インタリーブして、符合化されたデータを提供する。
【００６４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ１０３０によって実行または提供される命令によって決定されうる。
【００６５】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０はその後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００６６】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号は、ＮＴ個のアンテナ１０２４ａ乃至１０２４ｔそれぞれから送信される。
【００６７】
モバイル・デバイス８５０では、送信された変調信号がＮＲ個のアンテナ１０５２ａ乃至１０５２ｒによって受信され、おのおののアンテナ１０５２からの受信信号が、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６８】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００６９】
プロセッサ１０７０は、上述したように、どの事前符合化行列を使用するのかを定期的に決定する。さらに、プロセッサ１０７０は、行列インデクス部およびランク値部を備えた逆方向リンク・メッセージを規定することができる。
【００７０】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１０３６から受け取るＴＸデータ・プロセッサ１０３８によって処理され、変調器１０８０によって変調され、送信機１０５４ａ乃至１０５４ｒによって調整され、基地局１０１０へ送り戻される。
【００７１】
基地局１０１０では、アクセス端末１０５０からの変調信号が、アンテナ１０２４によって受信され、受信機１０２２によって調整され、復調器１０４０によって復調され、ＲＸデータ・プロセッサ１０４２によって処理されて、アクセス端末１０５０によって送信された逆方向リンク・メッセージを抽出する。さらに、プロセッサ１０３０は、ビームフォーミング重みを決定するためにどの事前符合化行列を使用するかを決定するために、この抽出されたメッセージを処理する。
【００７２】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００７３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７４】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７５】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１１に示すように、フィードバック情報を含む制御チャネル・ペイロードを生成することを容易にするシステム１１００が例示される。例えば、システム１１００は、基地局、モバイル・デバイス等の内部に少なくとも部分的に存在することができる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、制御チャネル・ペイロード内の少なくともランク・インジケータ、事前符号化行列インジケータ、およびチャネル品質インジケータを符号化する電子構成要素１１０４を含みうる。さらに、論理グループ１１０２は、符号化されたペイロードをアップリンク制御チャネルで送信する電子構成要素１１０６を備えうる。さらに、システム１１００は、電子構成要素１１０４および電子構成要素１１０６に関連付けられた機能を実行するための命令群を保持するメモリ１１０８を含みうる。メモリ１１０８の外側にあると示されているが、電子構成要素１１０４および電子構成要素１１０６のうちの１または複数は、メモリ１１０８内に存在しうることが理解されるべきである。
【００７７】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010537512.tif 000003
【図２】
2010537512.tif 000004
【図３】
2010537512.tif 000005
【図４】
2010537512.tif 000006
【図５】
2010537512.tif 000007
【図６】
2010537512.tif 000008
【図７】
2010537512.tif 000009
【図８】
2010537512.tif 000010
【図９】
2010537512.tif 000011
【図１０】
2010537512.tif 000012
【図１１】
2010537512.tif 000013
【国際調査報告】
2010537512.tif 000014
2010537512.tif 000015
2010537512.tif 000016